(57)【要約】      （修正有）【課題】一端施蓋するとロックが掛かり、壊さない限り開けることができないように不正開封が防止できる、はめごろし型封緘包装箱を提供する。【解決手段】外フラップの先端側の中央部に形成した凹所と、この凹所の両側に突出するように形成された一対の差込片５０を設ける。差込片は、中央にほぼ三角に突出する突片を設け、その突片の両側には差込時に逆折れされる折線を挟んで一対の耳片を設けて全体が略キノコ型に形成する。外フラップに形成した差込スリット４０は、差し込まれる差込片が形成される外フラップの基端に向かって突出する略台形状スリットであって、中央が凸の字状で、両端がハの字状に広がった形状のスリットである。上記外フラップに形成した差込片を内フラップに形成した差込スリットに挿着すると、上記耳片が現状に復帰して耳片と略台形状スリットとでロックがかかるようにした。【選択図】図１
0003155356.tif 000002
【実用新案登録請求の範囲】
【請求項１】
箱体の四側壁の少なくとも上端に、それぞれ相対向して内側に折り込まれる一対の内フラップと相対向して上記内フラップ上に折り込まれる外フラップとを連接し、外フラップに形成された差込片を内フラップに形成された差込スリットに挿入して天面を閉塞する包装箱において、
上記外フラップの先端側の中央部に形成した凹所と、この凹所の両側にこの凹所よりも突出するように形成された一対の差込片を設け、
その差し込片は、中央にほぼ三角に突出する突片を設け、その突片の両側には差込時に逆折れされる折線を挟んで一対の耳片を設けて全体が略キノコ型に形成され、
外フラップに形成した差込片が差し込まれる差込スリットは、差し込まれる差込片が形成される外フラップの基端に向かって突出する略台形状スリットであって、中央が凸の字状で両端がハの字状に広がった形状のスリットであり、
上記外フラップに形成した差込片を内フラップに形成した差込スリットに挿着すると、上記耳片が現状に復帰して耳片と略台形状スリットとでロックがかかるようにしたことを特徴とするはめごろし型封緘包装箱。
【考案の詳細な説明】
【技術分野】
【０００１】
本考案は、不正開封を防止できる包装箱に関するものである。
【背景技術】
【０００２】
菓子や青果物を収容するケースのように、多くの収納物が入れられた包装箱を施蓋する場合、包装箱の上部開口縁に折り曲げ自在の前後折込片と左右折込片とを連接し、これらの折込片を折曲する際に、一方の短手方向の折込片を折り込んだ後、長手方向の折込片を折り込んで両者を重ね合わせる。そのとき重合面を糊やテープで固着したり、ステープルと呼ばれる封緘金具で固定する。
糊、テープや封緘金具を使用しない場合は、前後折込片と左右折込片のうち、施蓋するとき外側にくる一方の折込片に差込突起を設けて、この突起を、内側にくる他方の折込片に設けた差込孔に挿入して封緘することが多い（特許文献１〜３参照）。
【０００３】
後者の箱の場合、使用時（荷役作業時など）に差込突起を差込孔から引っ張ると簡単に抜けることがある。そのため悪戯などの故意により、包装箱が不正開封されることがあった。そのため、組立作業での差し込み易さを考慮しながら、差込突起を抜けにくくした包装箱が求められている。
しかし、差込突起を差込孔から抜けにくくし、不正な開封を防止するためには封印シールを箱の蓋に貼着することが必要となる。
【先行技術文献】
【特許文献】
【０００４】
【特許文献２】特開平８−１４３０２５号公報
【特許文献３】特開２００６−４４７５７号公報
【特許文献１】実公昭５８―５５１３１号公報
【考案の概要】
【考案が解決しようとする課題】
【０００５】
そこで、本考案は組立ての作業性が良く、一端施蓋するとロックが掛かり、壊さない限り開けることができないように不正な開封が防止できる、はめごろし型封緘包装箱を提案することを課題とする。
【課題を解決するための手段】
【０００６】
上記目的を達成するために、本考案は、請求項１に記載したように、
箱体の四側壁の少なくとも上端に、それぞれ相対向して内側に折り込まれる一対の内フラップと相対向して上記内フラップ上に折り込まれる外フラップとを連接し、外フラップに形成された差込片を内フラップに形成された差込スリットに挿入して天面を閉塞する包装箱において、
上記外フラップの先端側の中央部に形成した凹所と、この凹所の両側にこの凹所よりも突出するように形成された一対の差込片を設け、
その差込片は中央にほぼ三角に突出する突片を設け、その突片の両側には差込時に逆折れされる折線を挟んで一対の耳片を設けて全体を略キノコ型に形成され、
外フラップに形成した差込片が差し込まれる差込スリットは、差し込まれる差込片が形成される外フラップの基端に向かって突出する略台形状スリットであって、中央が凸の字状で、両端がハの字状に広がった形状のスリットであり、
上記外フラップに形成した差込片を内フラップに形成した差込スリットに挿着すると、上記耳片が現状に復帰して耳片と略台形状スリットとでロックがかかるようにしたことを特徴とする。
【考案の効果】
【０００７】
本考案の包装箱によれば箱体の極めて強固な封緘状態を、最小の材料と簡単な構成で確保できる上、封緘の操作が簡単で、組立の作業性がよく、また内容物が傷つくことない。
また、施蓋すると差し込みロックが掛かり、無理な荷重をかけると破けてしまうので、故意による不正開封を防止でき、封印シールなどを必要としない菓子や薬品などを収納するに好適な、はめごろし型封緘包装箱を提供することができる効果を有する。
【図面の簡単な説明】
【０００８】
【図１】図１は施蓋前の箱の斜視図である。
【図２】図２は施蓋途中の状態を示す部分斜視図である。
【図３】差し込まれた差込片の突片が現状に復帰してロックがかかる状態を示す説明図である。
【図４】図４は施蓋状態の箱の斜視図である。
【図５】図５は箱蓋を開封する時の挙動説明図である。
【図６】図６ははめごろし型封緘包装箱の展開図である。
【考案を実施するための形態】
【実施例】
【０００９】
次に本考案の好適な実施例を図面に基づき説明する。
本考案の包装箱は図６に示すように、一例として板紙からなるシート素材を打ち抜いて形成されている。図１は上記箱の組立て状態を示している。
図１、図６に示したように、折り線を介して一方向に一対の側壁１又は２を連接し、側壁１又は２に糊付け片３を連接している。また、各側壁１の上辺（折れ線）に相対向して内側に折り込まれる一対の内フラップ４を、各側壁２の上辺（折れ線）に相対向して内側に折り込まれる一対の外フラップ５をそれぞれ連接し、各側壁１の下辺（折れ線）に一対の底片６を、各側壁２の下辺（折れ線）に一対の底辺７をそれぞれ連接している。
各内フラップ４には、箱を組み立てとき、後述する外フラップ５の差込片５０を挿入する差込スリット４０が形成されている。
【００１０】
上記外フラップ５には、その先端側の中央に凹所５１を設け、この凹所の両側に、凹所よりも突出する一対の差込片５０を設ける。この差込片５０は、中央に略三角に突出する突片５２と、その突片の両側に差込時に逆折される折れ線５３を挟んで一対の耳片５４を設けて、略キノコ型に形成されている。また、一方の外フラップ５の基部には、このフラップ５の差込片５０を差込スリット４０に挿入したまま、箱体からこの外フラップ５を切離すことができるジッパー部６０が形成されている。また、他方の外フラップ５には、箱を組み立てるときにこのフラップを折り曲げる罫線（折れ線）６１が形成されている。
【００１１】
一方、内フラップ４には、外フラップ５に形成した差込片５０が差し込まれる差込スリット４０が形成されている。この差込スリット４０は、組み立てたときに、差し込まれる差込片が形成される外フラップの基端に向かって突出する略台形状スリットである。このスリットの形状を詳しく述べると、中央４１が凸の字状で、両端４２がハの字状に広がった形状のスリットであり、かつそのスリットの中央部の外側にスリットと連続したガイド穴４３が設けられている。ガイド穴４３は不可欠でなく無くともよいが、あると差込片５０が差し込みやすい。
【００１２】
一対の内フラップ４は、図１に示すように、箱を組立て時、突合せにより、相互に当接するように形成されている。対向する外フラップ５，５は、前述したとおり組立て時に、内フラップ４に形成した差込スリット４０に挿入される差込片５０が形成されている。
【００１３】
底片６及び７は、箱体の底面を形成するオートボトムであるが、公知であるので説明は省略する。
符号８は、前記ジッパー部６０の下方の側壁２に形成したポップアップパネルであり、ミシン罫による切り込み線で形成され、展示時にポップアップさせることができるように構成されている。また、符号９は残り３枚の側壁に形成したジッパー部である。
なお、これらポップアップパネル８の構成も、ジッパー部９の構成も公知であるので説明は省略する。
【００１４】
続いて、組立て方法と作用を説明する。
本考案の包装箱は、組み立てるとき、底組した４側壁の天面を閉塞する。先ず、箱を組立て時に一対の内フラップ４を、図１に示すように、相互に当接するように突合せる。次に外フラップ５を折れ線６１より折り曲げたのち、図１の状態より図２のように差込片５０を内フラップ４の差込スリット４０に差し込むのである。このとき、外フラップ５に形成した差込片５０を内フラップに形成した差込スリット４０に挿着すると、上記突片５２の両側の耳片５４が折れ線５３を挟んで差込時に逆折れされ、この耳片は内フラップ４との面との間に隙間Ｓを生ずる。このときはフラップの落ち込みにより、内容物が傷つくことが防止できる。
【００１５】
図３に示すように差し込まれた差込片の耳片は差込が完了すると、現状に復帰してロックがかかる状態となる。
従って、外フラップ５を引っ張り上げて、差込片５０を差込スリット４０から抜こうとしても、耳片５４が略台形状スリット４０の縁にひっかり、箱は壊さない限り開くことがない。図４は施蓋状態の箱の斜視図である。
【００１６】
図５のａ〜ｄは、箱蓋の開封後の挙動説明図である。この包装箱を開封するときはａ〜ｄで示したように、外フラップ５に形成したジッパー部６０を取り去り、また側壁１，２に設けたジッパー部９を取り去ると、展示を兼ねる、箱上面が開放されたディスプレイカートンが図５のｃのように形成できる。そして、ミシン罫による切り込み線で形成されポップパネル部８をカートンの下端し差し込んで使用することができる。
【００１７】
以上述べたように本考案は、不正開封を防止できる菓子などの食品又は薬品の包装箱を簡単な構成で実現できた。
【符号の説明】
【００１８】
１、２  側壁
４  内フラップ
５  外フラップ
６，７  底片
４０  差込スリット
４１  凸字状のスリット
４２  ハ字状のスリット
５０  差込片
５１  凹所
５２  突片
５３  折れ線
５４  耳片
６０  ジッパー部
６１  折れ線
【図１】
0003155356.tif 000003
【図２】
0003155356.tif 000004
【図３】
0003155356.tif 000005
【図４】
0003155356.tif 000006
【図５】
0003155356.tif 000007
【図６】
0003155356.tif 000008